(57)【要約】【課題】部品点数及び組み立て工数の削減を図ると共に、レンズ群の移動量の制約を少なくする。【解決手段】ドライブリング５０７が回転すると、カム筒５０３は、ドライブリング５０７と固定筒５０６の作用により回転しながら光軸Ｃ０の方向に繰り出される。第１直進筒５０４及び第２直進筒５０１はカム筒５０３に相対的に回転可能な状態で保持され且つ固定筒５０６により回転規制されているため、光軸Ｃ０の方向へ直進移動で繰り出される。第４レンズ群４００はメインガイド４０５等により回転規制され、カム筒５０３の移動とは独立して光軸Ｃ０の方向へ直進移動で繰り出される。メインガイド４０５は、光軸Ｃ０の方向に延設され、その他端４０５ｂがセンサホルダ５０９の支持部５０９ａに支持され、一端４０５ａが第２直進筒５０１のガイド部５０１ｄに支持される。【選択図】図６
2013125246.tif 000002
【特許請求の範囲】
【請求項１】
固定筒と、
前記固定筒に対し光軸を中心に回転自在なカム筒と、
前記固定筒によって回転が規制されると共に、前記カム筒の回転により前記固定筒に対して前記光軸の方向に移動する直進筒と、
前記光軸の方向に移動自在なレンズ群と、
前記光軸の方向に延設され、前記レンズ群の回転を規制しつつ前記光軸の方向への移動をガイドするガイド軸とを有し、
前記ガイド軸の一端が前記直進筒に支持されたことを特徴とするレンズ鏡筒。
【請求項２】
撮像素子を保持するセンサホルダを有し、前記ガイド軸の他端が前記センサホルダに支持されたことを特徴とする請求項１記載のレンズ鏡筒。
【請求項３】
前記直進筒は、前記レンズ群とは別の少なくとも１つのレンズ群の前記光軸の方向への移動量を規制することを特徴とする請求項１または２記載のレンズ鏡筒。
【請求項４】
前記ガイド軸は平行に２本が配設され、前記直進筒に一端が支持されるのは、前記２本のガイド軸のうちの一方であることを特徴とする請求項１〜３のいずれか１項に記載のレンズ鏡筒。
【請求項５】
前記直進筒は、回転自在に前記カム筒に保持されたことを特徴とする請求項１〜４のいずれか１項に記載のレンズ鏡筒。
【請求項６】
請求項１ないし５の何れか１項に記載のレンズ鏡筒を備えた撮像装置。
【発明の詳細な説明】
【技術分野】
【０００１】
本発明は、レンズ鏡筒およびそれを備える撮像装置に関し、特にレンズ群の光軸方向への移動をガイドするガイド軸を有するレンズ鏡筒に関する。
【背景技術】
【０００２】
従来、レンズ群を光軸方向に移動可能にガイドするガイド軸を設けたレンズ鏡筒が知られている。ガイド軸の両端の支持の方法には、両端を別部材で保持して調整する方法や、同一部品で保持する方法等、様々な方法が提案されている。
【０００３】
例えば、特許文献１では、ガイド軸の両端部を別部品で保持し、そのうち一端を保持する支持部に、ガイド軸の傾きを調整する機能を設けた構成が開示されている。また、特許文献２では、ガイド軸の両端支持を同一部品で行う構成が開示されている。
【先行技術文献】
【特許文献】
【０００４】
【特許文献１】特開２００９−１５０９５０号公報
【特許文献２】特開２００９−０４２４７４号公報
【発明の概要】
【発明が解決しようとする課題】
【０００５】
しかしながら、特許文献１のような支持態様では、光学性能を維持するために、ガイド軸の傾きを調整する作業を一方の保持部における部品を介して行うため、部品数の増加、組み立て工数の増加を招く。
【０００６】
また、特許文献２のような支持態様では、ガイド軸の両端を同一部品で支持する構成であるため、レンズ群の移動量に制約が大きくなり、レンズ群の光学性能の確保に不利である。
【０００７】
本発明は上記従来技術の問題を解決するためになされたものであり、その目的は、部品点数及び組み立て工数の削減を図ると共に、レンズ群の移動量の制約を少なくすることができるレンズ鏡筒を提供することにある。
【課題を解決するための手段】
【０００８】
上記目的を達成するために本発明のレンズ鏡筒は、固定筒と、前記固定筒に対し光軸を中心に回転自在なカム筒と、前記固定筒によって回転が規制されると共に、前記カム筒の回転により前記固定筒に対して前記光軸の方向に移動する直進筒と、前記光軸の方向に移動自在なレンズ群と、前記光軸の方向に延設され、前記レンズ群の回転を規制しつつ前記光軸の方向への移動をガイドするガイド軸とを有し、前記ガイド軸の一端が前記直進筒に支持されたことを特徴とする。
【発明の効果】
【０００９】
本発明によれば、部品点数及び組み立て工数の削減を図ると共に、レンズ群の移動量の制約を少なくできるレンズ鏡筒およびそれを備える撮像装置を提供することができる。
【図面の簡単な説明】
【００１０】
【図１】本発明の一実施の形態に係るレンズ鏡筒の一部の分解斜視図である。
【図２】本発明の一実施の形態に係るレンズ鏡筒の一部の分解斜視図である。
【図３】同レンズ鏡筒の沈胴状態における光軸に沿う断面図である。
【図４】同レンズ鏡筒の撮影状態における光軸に沿う断面図である。
【図５】メインガイド及びその周りの構成を示す斜視図である。
【図６】メインガイド及びその周りの構成を示す光軸に沿う断面図である。
【発明を実施するための形態】
【００１１】
以下、本発明の実施の形態を図面を参照して説明する。
【００１２】
図１、図２は、本発明の一実施の形態に係るレンズ鏡筒構成部品を分けて示す分解斜視図である。図３、図４は、同レンズ鏡筒のそれぞれ沈胴状態、撮影状態における光軸に沿う断面図である。図１、図２では、本レンズ鏡筒の光軸Ｃ０に沿って配設された各構成要素を分離して示している。
【００１３】
まず、図１〜図４を用いて本レンズ鏡筒の全体構成を説明する。
【００１４】
本レンズ鏡筒は、ビデオカメラやデジタルスチルカメラ等の撮像装置やデジタル一眼レフカメラ用の交換レンズ等の光学機器に取り付けられ、あるいは一体に設けられて使用される。図３、図４に示すように、このレンズ鏡筒は正、負、正、正の屈折力のレンズ群より成る４群構成の変倍光学系（ズームレンズ）を有している。すなわち、光軸Ｃ０の方向に固定（不動）の第１レンズ群１００を有する。そして、第１レンズ群１００より撮像素子６０１の側に、順に、変倍（ズーム）動作のための第２レンズ群２００、像振れ補正のための第３レンズ群３００、変倍動作の際と合焦動作の際に移動する第４レンズ群４００が配置されている。
【００１５】
図１に示すように、第１レンズ群１００は、第１レンズ１０１を保持する円筒状の第１レンズ枠１０２、及び第１レンズ枠１０２を保持する円筒状の第１群筒１０３等を有する。第１群筒１０３の内周面には、径方向内側に突出すると共に内周方向において等角度の間隔にカムピン１０３ａが設けられる。第１群筒１０３の内周面にはまた、第１直進筒５０４の直進キー５０４ａと嵌合するキー溝１０３ｂが形成されている。
【００１６】
第２レンズ群２００は、第２レンズ２０１、第２レンズ２０１を保持する円筒状の第２レンズ枠２０２等を有する。第２レンズ枠２０２の外周面には、径方向外側に突出するカムピン２０２ａが、外周方向において等角度の間隔に設けられる。カムピン２０２ａは、その根元部分に、第１直進筒５０４のキー溝５０４ｂと嵌合する直進キー２０２ｂを備えている。
【００１７】
第１群筒１０３の内周側には第１直進筒５０４が配置される。第１直進筒５０４は、カム筒５０３に回動自在で且つ第２直進筒５０１に回転規制されつつ、第１レンズ群１００、第２レンズ群２００及び第３レンズ群３００の回転を規制し、これらを光軸Ｃ０の方向へ直進案内する。
【００１８】
第１直進筒５０４の内周面には、第２直進筒５０１の直進キー５０１ｂと嵌合すると共に回転規制するためのキー溝５０４ｃが等角度の間隔で備えられる。第１直進筒５０４の内周面にはまた、第２レンズ枠２０２の直進キー２０２ｂを回転規制するための貫通したキー溝５０４ｂが等角度の間隔で備えられる。第１直進筒５０４の内周面にはまた、第３レンズ群３００の地板３０３の直進キー３０３ｂを回転規制するための貫通したキー溝５０４ｄが等角度の間隔で備えられる。
【００１９】
第１直進筒５０４の外周面には、径方向外側に突出する直進キー５０４ａが、外周方向において等角度の間隔に設けられる。直進キー５０４ａは、第１群筒１０３のキー溝１０３ｂと嵌合される。第１直進筒５０４はカム筒５０３の内面に嵌合され、またカム筒５０３とバヨネット結合することで、カム筒５０３に相対的に回転可能に保持される。
【００２０】
第２直進筒５０１の外周面には、径方向外側に突出するカムピン５０１ａが、外周方向において等角度の間隔に設けられる。第２直進筒５０１の外周面にはまた、第１直進筒５０４のキー溝５０４ｃと嵌合される直進キー５０１ｂ、及び、固定筒５０６のキー溝５０６ｂ（図２参照）と嵌合される直進キー５０１ｃ（図５参照）が設けられている。カム筒５０３の内周面には、第２レンズ枠２０２のカムピン２０２ａが挿入されるカム溝５０３ｄが等角度の間隔に形成される。カム筒５０３の内周面にはまた、第２直進筒５０１のカムピン５０１ａが挿入されるカム溝５０３ｆ、及び地板３０３のカムピン３０３ａが挿入されるカム溝５０３ｅがそれぞれ等角度の間隔に形成される。
【００２１】
またカム筒５０３の外周面には、第１レンズ枠１０３のカムピン１０３ａが挿入されるカム溝５０３ｃが形成される。さらに、カム筒５０３の外周面には、固定筒５０６のカム溝５０６ａ（図２参照）に挿入されるカムピン５０３ａ、及び、ドライブリング５０７のキー溝５０７ａ（図２参照）に嵌合する回転キー５０３ｇが、それぞれ等角度の間隔で設けられる。カム筒５０３は、固定筒５０６に対し光軸Ｃ０を中心に回転自在である。
【００２２】
図２に示すように、固定筒５０６の内周面には第２直進筒５０１の直進キー５０１ｃ（図１参照）を回転規制するキー溝５０６ｂが等角度の間隔で備えられる。固定筒５０６の内周面にはまた、カム筒５０３のカムピン５０３ａ（図１参照）が挿入されるカム溝５０６ａが形成されている。また固定筒５０６の外周面は、ドライブリング５０７の内周面と嵌合され、ドライブリング５０７を回転自在に保持する。
【００２３】
ドライブリング５０７の内周面には、カム筒５０３の回転キー５０３ｇ（図１参照）と嵌合されるキー溝５０７ａが等角度の間隔で形成される。ドライブリング５０７の外周面には、ドライブリング５０７の光軸Ｃ０の方向の移動を規制するフランジ５０７ｂ、及び駆動源からの駆動力を回転力に変換するギア部５０７ｃ（図３、図４参照）が備えられている。
【００２４】
ドライブリングカバー５０８の内周面には、ドライブリング５０７のフランジ５０７ｂと嵌合される嵌合部５０８ａが備えられている。また、ドライブリング５０７は、ドライブリングカバー５０８、固定筒５０６及びセンサホルダ５０９（図２〜図４参照）により、光軸Ｃ０の方向への移動を規制されると共に、回転可能に保持される。
【００２５】
第１直進筒５０４及び第２直進筒５０１の内側には第３レンズ群３００が配置される。図１に示すように、第３レンズ群３００は、光量調整ユニット３０４、地板３０３、手振れ補正レンズ群３０８を備える。手振れ補正レンズ群３０８は、手振れ補正レンズ３０１及び第３レンズ枠３０２を含む。地板３０３の外周面からは、カムピン３０３ａ、直進キー３０３ｂが等角度の間隔で備えられている。
【００２６】
第３レンズ群３００の撮像素子６０１の側（図３、図４の右方）には、第４レンズ４０１、第４レンズ保持枠４０２及び遮光マスク４０３からなる第４レンズ群４００が配置されている（図２〜図４参照）。第４レンズ群４００は、平行な２本のガイド軸であるメインガイド４０５及びサブガイド４０６（図１参照）により回転規制され、駆動源４０４により光軸Ｃ０の方向へ移動自在なように配置されている。メインガイド４０５及びサブガイド４０６は、第４レンズ群４００の回転を規制しつつ光軸Ｃ０の方向への移動をガイドする。
【００２７】
図２に示すように、撮像素子６０１はセンサープレート６０２に固定され、ねじ６３０によってセンサホルダ５０９に固定される。撮像素子６０１をセンサホルダ５０９に固定する際、センサーラバー６０３の弾性を利用して、保護ガラス６０４をセンサホルダ５０９に押しつけるように固定する。センサホルダ５０９とドライブリングカバー５０８とを、ねじ６２０で固定筒５０６を挟む形で固定することで、鏡筒をユニット化している。
【００２８】
かかる構成において、本レンズ鏡筒が沈胴状態（図３）から撮影状態（図４）に移行するとき、まずズーム駆動源５１０の動力によりギア５３１〜５３４が回転し（図２）、ドライブリング５０７が回転駆動される。ドライブリング５０７が回転すると、カム筒５０３は、ドライブリング５０７と固定筒５０６の作用により、光軸Ｃ０を中心に（光軸周りに）回転しながら光軸Ｃ０の方向に繰り出される。第１直進筒５０４及び第２直進筒５０１は、カム筒５０３に相対的に回転可能な状態で保持されており、また固定筒５０６により回転規制されているため、カム筒５０３が回転すると光軸Ｃ０の方向へ直進移動で繰り出される。
【００２９】
第１レンズ群１００、第２レンズ群２００及び第３レンズ群３００は、第１直進筒５０４、第２直進筒５０１及びカム筒５０３の作用により、光軸Ｃ０の方向へ直進移動で繰り出される。また第４レンズ群４００は、駆動源４０４により光軸Ｃ０の方向へ移動可能なように保持されるとともに、メインガイド４０５及びサブガイド４０６により回転規制されている。そのため、カム筒５０３の移動とは関係なく、独立して光軸Ｃ０の方向へ直進移動で繰り出される。
【００３０】
以上の構成により、ドライブリング５０７が回転することで、各レンズ群が沈胴位置から被写体側に向けて繰り出すことで鏡筒が沈胴状態から撮影状態へと移行する。なおレンズ鏡筒は、カム筒５０３及び固定筒５０６の作用により、適宜、相互間の距離が調整されてズーミングが行われる。
【００３１】
次に、図５、図６を用いて、第２直進筒５０４、第４レンズ群４００、メインガイド４０５及びセンサホルダ５０９の関係について説明する。
【００３２】
図５、図６は、メインガイド４０５及びその周りの構成を示す斜視図、光軸Ｃ０に沿う断面図である。
【００３３】
第４レンズ群４００の光学性能を維持するために、仮に、従来のように、メインガイド４０５の端部支持を別部品で行い、メインガイド４０５の傾きを調整する構成を採用すると、部品数の増加や組み立て工数の増加を招く。一方、仮に、従来のように、メインガイド４０５の両端支持をセンサホルダ５０９等の同一部品で行ったとすると、第４レンズ群４００の移動量に大きな制限が生じることになる。
【００３４】
そこで本実施の形態では、以下に説明するように、メインガイド４０５の両端支持を、センサホルダ５０９と第２直進筒５０１とで行う構成を採用する。
【００３５】
まず、メインガイド４０５及びサブガイド４０６は、光軸Ｃ０の方向に延設され、センサホルダ５０９において被写体側に立設されるよう平行に配設される。すなわち、メインガイド４０５の他端４０５ｂが、センサホルダ５０９の支持部５０９ａに支持される（図６参照）。サブガイド４０６のセンサホルダ５０９の側の端部も同様にセンサホルダ５０９に支持される。さらに、メインガイド４０５の先端付近でもある一端４０５ａは、第２直進筒５０１のガイド部５０１ｄに支持される（図５、図６参照）。
【００３６】
このような支持方式によると、メインガイド４０５の両端を同一部品で支持することもない。そのため、第２直進筒５０１が光軸Ｃ０の方向に移動できる範囲（ストローク）に応じてメインガイド４０５を長くとることができ、第４レンズ群４００の移動量を大きく確保することが可能となる。また、カム筒５０３は、第４レンズ群４００とは別のレンズ群であるレンズ群１００、２００、３００の光軸Ｃ０に対する位置を規制すると共に、各々の光軸Ｃ０の方向への移動量を規制している。それだけでなく、第２直進筒５０１の光軸Ｃ０に対する位置を規制すると共に、光軸Ｃ０の方向の移動量も規制している。
【００３７】
そのため、レンズ群１００、２００、３００と第４レンズ群４００の光軸Ｃ０に対する位置を精度よく保ったまま駆動できるようになり、光学性能をよりよい形で維持することが可能となる。また、メインガイド４０５の一端４０５ａを支持するのは、固定筒５０６によって回転が規制されると共にカム筒５０３の回転により固定筒５０６に対して光軸Ｃ０の方向に移動する第２直進筒５０１である。専用の別部品ではなく、鏡筒としての機能を備える第２直進筒５０１に一端４０５ａを保持する機能を兼ねさせるので、部品点数の増加が回避され、ひいてはコストダウンにも寄与する。
【００３８】
よって、本実施の形態によれば、部品点数及び組み立て工数の削減を図ると共に、第４レンズ群４００の移動量の制約を少なくすることができる。その結果、第４レンズ群４００の光学性能を高く維持することができる。
【００３９】
以上、本発明の好ましい実施形態について説明したが、本発明はこれらの実施形態に限定されず、その要旨の範囲内で種々の変形及び変更が可能である。
【符号の説明】
【００４０】
４００  第４レンズ群
４０５  メインガイド
４０５ａ  一端
５０１  第２直進筒
５０３  カム筒
５０６  固定筒
５０９  センサホルダ
【図１】
2013125246.tif 000003
【図２】
2013125246.tif 000004
【図３】
2013125246.tif 000005
【図４】
2013125246.tif 000006
【図５】
2013125246.tif 000007
【図６】
2013125246.tif 000008